(57)【要約】【課題】冷却用ファンの回転状況に係る信号を制御装置によって処理することにより、冷却用ファンの異常検出を適切かつ的確に行う。【解決手段】制御装置５Ａを収納した盤装置を強制冷却するための冷却用ファン２の異常を検出するものにおいて、冷却用ファン２に設けられファンの回転に応じて導出されるファン回転信号４Ａからなるファン回転確認信号を出力する回転信号検出手段３を備え、回転信号検出手段３によって検出されるファン回転信号４Ａからなるファン回転確認信号を制御装置５Ａへ入力することにより、制御装置５Ａによってファン回転信号４Ａからなるファン回転確認信号の有無を常時監視し、所定時間のあいだ信号のない状態を検出したときに、異常警告を行うようにした。【選択図】        図１
2004190553.tif 000002
【特許請求の範囲】
【請求項１】
制御装置を収納した盤装置を強制冷却するための冷却用ファンの異常を検出するものにおいて、前記冷却用ファンに設けられファンの回転に応じて導出されるファン回転確認信号を出力する回転信号検出手段を備え、前記回転信号検出手段によって検出されるファン回転信号を前記制御装置へ入力することにより、前記制御装置によって前記ファン回転確認信号の有無を常時監視し、所定時間のあいだ信号のない状態を検出したときに、異常警告を行うことを特徴とするファン異常検出装置。
【請求項２】
制御装置を収納した盤装置を強制冷却するための冷却用ファンの異常を検出するものにおいて、前記冷却用ファンに設けられファン回転数信号を出力する回転信号検出手段を備え、前記回転信号検出手段によるファン回転数信号を所定の周期で前記制御装置へ入力することにより前記制御装置にて回転数低下を判別し、設定した値以下となった場合異常検出を行うことを特徴とするファン異常検出装置。
【請求項３】
制御装置を収納した盤装置を強制冷却するための冷却用ファンの異常を検出するものにおいて、前記冷却用ファンに設けられファン回転数信号を出力する回転信号検出手段を備え、前記回転信号検出手段によるファン回転数信号を前記制御装置によって処理することにより前記制御装置において回転数を積算し、限界回転数を設定しておくことによりファン寿命を検知し、異常警告を可能とすることを特徴とするファン異常検出装置。
【請求項４】
制御装置を収納した盤装置を強制冷却するための冷却用ファンの異常を検出するものにおいて、前記冷却用ファンに設けられファン回転信号を出力する回転信号検出手段を備え、前記回転信号検出手段によるファン回転信号を前記制御装置によって処理することにより前記制御装置においてファンの稼動時間を積算し、限界稼動時間を設定しておくことによりファン寿命を検知し、異常警告を可能とすることを特徴とするファン異常検出装置。
【請求項５】
制御装置を収納した盤装置を強制冷却するための冷却用ファンの異常を検出するものにおいて、前記冷却用ファンに設けられファン回転数信号を出力する回転信号検出手段を備え、前記回転信号検出手段によるファン回転数信号を前記制御装置によって処理することにより前記制御装置において回転数を積算するとともに、前記回転信号検出手段によるファン回転数信号を前記制御装置によって処理することにより前記制御装置においてファンの稼動時間を積算し、前記積算回転数が限界回転数に達し、または／および、前記積算稼働時間が限界稼動時間に達したとを検出することによりファン寿命を検知し、異常警告を可能とすることを特徴とするファン異常検出装置。
【請求項６】
制御装置を収納した盤装置を強制冷却するための冷却用ファンの異常を検出するにあたり、前記冷却用ファンのファン回転信号を前記制御装置へ入力することにより、前記制御装置によって前記ファン回転信号の有無を常時監視し、所定時間のあいだ信号のない状態を検出したときに、異常警告を行うことを特徴とするファン異常検出方法。
【請求項７】
制御装置を収納した盤装置を強制冷却するための冷却用ファンの異常を検出するにあたり、前記冷却用ファンのファン回転数信号を所定の周期で前記制御装置へ入力することにより前記制御装置にて回転数低下を判別し、設定した値以下となった場合異常検出を行うことを特徴とするファン異常検出方法。
【請求項８】
制御装置を収納した盤装置を強制冷却するための冷却用ファンの異常を検出するにあたり、前記冷却用ファンのファン回転数信号を前記制御装置によって処理することにより前記制御装置において回転数を積算し、限界回転数を設定しておくことによりファン寿命を検知し、異常警告を可能とすることを特徴とするファン異常検出方法。
【請求項９】
制御装置を収納した盤装置を強制冷却するための冷却用ファンの異常を検出するにあたり、前記冷却用ファンのファン回転信号を前記制御装置によって処理することにより前記制御装置においてファンの稼動時間を積算し、限界稼動時間を設定しておくことによりファン寿命を検知し、異常警告を可能とすることを特徴とするファン異常検出方法。
【請求項１０】
制御装置を収納した盤装置を強制冷却するための冷却用ファンの異常を検出するにあたり、前記冷却用ファンのファン回転数信号を前記制御装置によって処理することにより前記制御装置において回転数を積算するとともに、前記ファン回転数信号を前記制御装置によって処理することにより前記制御装置においてファンの稼動時間を積算し、前記積算回転数が限界回転数に達し、または／および、前記積算稼働時間が限界稼動時間に達したことを検出することによりファン寿命を検知し、異常警告を可能とすることを特徴とするファン異常検出方法。
【発明の詳細な説明】
【０００１】
【発明の属する技術分野】
この発明は、ファン異常検出装置およびファン異常検出方法、特に、プログラマブルコントローラおよびシーケンサを収納する制御盤での冷却用ファンの異常による設備停止等を未然に防止するためのファン異常検出装置およびファン異常検出方法に関するものである。
【０００２】
【従来の技術】
従来の回転計を用いたファン異常検出装置は、ファンに設けられた回転計でファンの回転数を検出するとともに、回転計で検出されたファン回転数を設定値と比較して、異常を判別し回転計から警報出力を行っている（例えば、特許文献１参照）。
【特許文献１】
特開昭５９−１８９６９９号公報
【０００３】
【発明が解決しようとする課題】
従来の回転計を使用したファン異常警告方式では、ファンが停止していなくても回転計の警報出力回路そのものが故障していた場合などは、異常警告を行うことができず、本来必要とする異常警告を出力することができなくなることが考えられ、温度上昇によりシステムの主要な機器が故障するなど致命的な障害となってしまうという欠点があった。
【０００４】
この発明は、上記のような課題を解決するためになされたものであり、冷却用ファンの回転状況に係る信号を制御装置によって処理することにより、冷却用ファンの異常検出を適切かつ的確に行えるファン異常検出装置およびファン異常検出方法を得ようとするものである。
【０００５】
【課題を解決するための手段】
この発明に係るファン異常検出装置では、冷却用ファンの回転状況に係る信号を制御装置によって処理することにより、冷却用ファンの異常検出を行うものである。
【０００６】
【発明の実施の形態】
実施の形態１．
この発明による実施の形態１を図１および図２に基づいて説明する。図１は実施の形態１における構成を示すブロック図である。図２は実施の形態１における動作を示すフローチャートである。
【０００７】
図１に示す実施の形態において、太線で囲まれた筐体１は機器が実装される制御盤等の盤装置における筐体を示し、その中には複数のファン２が収納されている。
ファン２の下方にそれぞれ示されている回転計３は、当該ファン２の回転の有無に関する信号を出力するものである。回転計３から出力される回転信号４Ａは当該ファン２が回転状態にあるときに出力されるものであって、この回転信号４Ａは、常時、制御装置５Ａへ出力される。制御装置５Ａは回転信号４の有無を常時監視している。
この制御装置５Ａは、制御盤等の盤装置における制御機能全般に係る制御手段としての演算処理を広く行うものであって、ここで述べるファン異常監視のための処理は、その処理機能の一部を活用するものである。
【０００８】
次に動作について説明する。
図１に示す構成にて図２のフローチャートに示す動作となる。
ファン２が正常回転している場合、回転計３より制御装置５Ａへ回転信号４Ａが常時出力される。
制御装置５Ａでは、この回転信号４Ａを常時監視しており、回転信号４Ａの入力有りの状態にて正常と判断している。
ファン異常となった場合、回転信号４Ａが出力されず、監視装置５Ａにて回転信号の入力無しの状態となり、異常検出を行う。
これにより、制御装置５Ａから警報ランプ６や他の制御装置７へ警報を出力する。
ファン２の回転信号の有無を監視することにより、ファンの停止に限らずファンおよび回転計が故障した場合でも同様の結果となることより、確実な異常検出を行うことができるものとなる。
【０００９】
この発明による実施の形態１によれば、制御装置５Ａを収納した制御盤等の筐体１を備えた盤装置を強制冷却するための前記盤装置に複数個設けられた冷却用ファン２の異常を検出するものにおいて、前記冷却用ファン２に設けられファン回転信号４Ａを出力する回転計３からなる回転信号検出手段を備え、前記回転計３からなる回転信号検出手段によって検出されるファン回転信号を前記制御装置５Ａへ入力することにより、前記制御装置５Ａによって前記ファン回転信号の有無を常時監視し、所定時間のあいだ信号のない状態を検出したときに、異常警告を行うようにしたので、冷却用ファンの回転状況に係るファン回転信号を制御装置によって処理することにより、冷却用ファンの異常検出を適切かつ的確に行えるファン異常検出装置を得ることができる。
【００１０】
また、この発明による実施の形態１によれば、制御装置５Ａを収納した筐体１からなる盤装置を強制冷却するための冷却用ファン２の異常を検出するにあたり、前記冷却用ファン２のファン回転信号４Ａを前記制御装置５Ａへ入力することにより、前記制御装置５Ａによって前記ファン回転信号４Ａの有無を常時監視し、所定時間のあいだ信号のない状態を検出したときに、異常警告を行うようにしたので、冷却用ファンの回転状況に係るファン回転信号を制御装置によって処理することにより、冷却用ファンの異常検出を適切かつ的確に行えるファン異常検出方法を得ることができる。
【００１１】
実施の形態２．
この発明による実施の形態２を図１および図３に基づいて説明する。図３は実施の形態２における構成を示すブロック図である。図４は実施の形態２における動作を示すフローチャートである。
この実施の形態２において、ここで説明する特有の構成および方法以外の構成内容および方法内容については、先に説明した実施の形態１における構成および方法と同一の構成内容および方法内容を具備し、同様の作用を奏するものである。
図中、同一符号は同一または相当部分を示す。
【００１２】
図３に示す実施の形態２において、太線で囲まれた筐体１は機器が実装される制御盤等の盤装置における筐体を示し、その中には複数のファン２が収納されている。
ファン２の下方にそれぞれ示されている回転計３は、当該ファン２の回転数を出力するものである。回転計３から出力される回転数信号４Ｂは当該ファン２の回転数に応じたパルス信号であって、所定の周期で、制御装置５Ｂへ出力される。制御装置５Ｂは回転数信号４Ｂによる回転数を常時監視している。
この制御装置５Ｂは、制御盤等の盤装置における制御機能全般に係る制御手段としての演算処理を広く行うものであって、ここで述べるファン異常監視のための処理は、その処理機能の一部を活用するものである。
【００１３】
上記実施の形態１では、ファンの回転の有無により異常検出を行うものであったが、この実施の形態２では、図３のフローチャートに示すように回転計３から制御装置５へファンの回転数ｎ０  を入力することにより、制御装置５にて期待する冷却効果を得ることができる最低の回転数ｎ１  を設定し、制御装置５にてこれを監視し回転数ｎ０  が回転数ｎ１  以上のとき正常と判断する。そして、回転数ｎ０  が回転数ｎ１  以下となったとき、異常検出を行う。
これにより、上記実施の形態１で得られるファン２の故障検出と同等の検出を行うことができ、さらにファン２が故障等により停止する以前に異常検出を行うことができるものとなる。
【００１４】
この発明による実施の形態２によれば、制御装置５を収納した制御盤等の筐体１を備えた盤装置を強制冷却するための冷却用ファン２の異常を検出するものにおいて、前記冷却用ファン２に設けられファン回転数信号４Ｂを出力する回転計３からなる回転信号検出手段を備え、前記回転計３からなる回転信号検出手段によるファン回転数信号４Ｂをパルス信号にて所定の周期で制御装置５へ入力することにより制御装置５にて回転数低下を判別し、設定した値以下となった場合異常検出を行うようにしたので、冷却用ファンの回転状況に係るファン回転数信号を制御装置によって処理することにより冷却用ファンの異常検出を適切かつ的確に行えるファン異常検出装置を得ることができる。
【００１５】
また、この発明による実施の形態２によれば、制御装置５を収納した筐体１を備えた盤装置を強制冷却するための冷却用ファン２の異常を検出するにあたり、前記冷却用ファンのファン回転数信号を所定の周期で前記制御装置へ入力することにより前記制御装置にて回転数低下を判別し、設定した値以下となった場合異常検出を行うようにしたので、冷却用ファンの回転状況に係るファン回転数信号を制御装置によって処理することにより冷却用ファンの異常検出を適切かつ的確に行えるファン異常検出方法を得ることができる。
【００１６】
実施の形態３．
この発明による実施の形態３を図５および図６に基づいて説明する。図５は実施の形態３における構成を示すブロック図である。図６は実施の形態３における動作を示すフローチャートである。
この実施の形態３において、ここで説明する特有の構成および方法以外の構成内容および方法内容については、先に説明した実施の形態２における構成および方法と同一の構成内容および方法内容を具備し、同様の作用を奏するものである。
図中、同一符号は同一または相当部分を示す。
【００１７】
図５に示す実施の形態３において、太線で囲まれた筐体１は機器が実装される制御盤等の盤装置における筐体を示し、その中には複数のファン２が収納されている。
ファン２の下方にそれぞれ示されている回転計３は、当該ファン２の回転数を出力するものである。回転計３から出力される回転数信号４Ｂは当該ファン２の回転数に応じたパルス信号であって、所定の周期で制御装置５Ｃへ出力される。制御装置５は回転数信号４Ｂによる回転数を常時監視している。
この制御装置５Ｃは、制御盤等の盤装置における制御機能全般に係る制御手段としての演算処理を広く行うものであって、ここで述べるファン異常監視のための処理は、その処理機能の一部を活用するものである。
【００１８】
上記実施の形態２では、ファン回転数をパルス信号にて制御装置を定周期で入力し、回転数ｎ０  と回転数ｎ１  の比較にて異常検出を行う手段としたが、図６のフローチャートに示すように、実施の形態３では、この回転数のデータを制御装置５にて積算し、ファン２そのものの動作を保障する限界回転数ｎｍ  を予め設定しておき、積算した回転数ｎＡ  を制御装置５にて監視し、回転数ｎＡ  が回転数ｎｍ  に達していないとき正常と判断する。
また、回転数ｎＡ  が回転数ｎｍ  以上となったとき、異常検出を行う。これによりファンの交換を促す警告を制御装置５から行う。
これは、この警告時点でファン２に異常がなくても、ファン２の寿命を示すものであり、当該ファン２の故障によるシステムへの障害を未然に防ぐことが可能となる。
【００１９】
この発明による実施の形態３によれば、制御装置５Ｃを収納した制御盤等の筐体１を備えた盤装置を強制冷却するための冷却用ファン２の異常を検出するものにおいて、前記冷却用ファン２に設けられファン回転数信号４Ｂを出力する回転計３からなる回転信号検出手段を備え、前記回転計３からなる回転信号検出手段によるファン回転数信号を前記制御装置５Ｃによって処理することにより前記制御装置５Ｃにおいて回転数を積算し、限界回転数を設定しておくことによりファン寿命を検知し、異常警告を可能とするようにしたので、冷却用ファンの回転状況に係るファン回転数信号を制御装置によって積算処理することにより冷却用ファンの異常検出を適切かつ的確に行えるファン異常検出装置を得ることができる。
【００２０】
また、この発明による実施の形態３によれば、制御装置５Ｃを収納した制御晩冬の筐体１を備えた盤装置を強制冷却するための冷却用ファン２の異常を検出するにあたり、前記冷却用ファン２のファン回転数信号４Ｂを前記制御装置５Ｃによって処理することにより前記制御装置５Ｃにおいて回転数を積算し、限界回転数を設定しておくことによりファン寿命を検知し、異常警告を可能とするようにしたので、冷却用ファンの回転状況に係るファン回転数信号を制御装置によって積算処理することにより冷却用ファンの異常検出を適切かつ的確に行えるファン異常検出方法を得ることができる。
【００２１】
実施の形態４．
この発明による実施の形態４を図７および図８に基づいて説明する。図７は実施の形態４における構成を示すブロック図である。図８は実施の形態４における動作を示すフローチャートである。
この実施の形態４において、ここで説明する特有の構成および方法以外の構成内容および方法内容については、先に説明した実施の形態１ないし実施の形態３における構成および方法と同一の構成内容および方法内容を具備し、同様の作用を奏するものである。
図中、同一符号は同一または相当部分を示す。
【００２２】
図７に示す実施の形態４において、太線で囲まれた筐体１は機器が実装される制御盤等の盤装置における筐体を示し、その中には複数のファン２が収納されている。
ファン２の下方に示されている回転計３は、当該ファン２の回転数を出力する回転計であり、回転信号４Ｃは回転計より出力される回転数信号で常時制御装置５Ｄへ出力される。制御装置５Ｄは回転信号４による回転数を常時監視している。
この制御装置５Ｄは、制御盤等の盤装置における制御機能全般に係る制御手段としての演算処理を広く行うものであって、ここで述べるファン異常監視のための処理は、その処理機能の一部を活用するものである。
【００２３】
上記実施の形態１，実施の形態２および実施の形態３における構成内容を組み合わせて用い、図８のフローチャートに示すようにファンの稼動開始に制御装置５Ｄへ入力される回転数信号４Ｂ（図３，図５参照）と同等のパルス信号で構成される回転確認信号４Ｃにて稼動時間の積算を開始し回転確認信号４Ｃの有無を判別しながら積算していく。
ファン２そのものの動作を保障する限界稼動時間ｔｍ  を設定し積算稼動時間ｔＡ  を監視し、積算稼動時間ｔＡ  が限界稼動時間ｔｍ  以上となったとき、ファンの寿命であることを検出し警報出力を行う。
そして、対象ファン２を交換後、手動にて積算稼動時間をクリアし、再度稼動を開始する。
これにより、ファンの故障を問わず寿命を通知することができ、ファンの寿命に起因するファンの故障によるシステムへの障害を未然に防ぐことが可能となる。
【００２４】
なお、回転確認信号４ｃは、ファン２の回転に応じて導出されるファン回転信号４Ａ（図１参照）からなるファン回転確認信号としてもよい。
【００２５】
この発明による実施の形態４によれば、制御装置５Ｄを収納した制御盤等の盤装置を強制冷却するための冷却用ファン２の異常を検出するものにおいて、前記冷却用ファン２に設けられファン回転信号を出力する回転計３からなる回転信号検出手段を備え、前記回転計３からなる回転信号検出手段によるファン回転信号４Ａまたはファン回転数信号４Ｂからなるファン回転確認信号４Ｃを前記制御装置によって処理することにより前記制御装置５Ｄにおいてファンの稼動時間を積算し、限界稼動時間を設定しておくことによりファン寿命を検知し、異常警告を可能とするようにしたので、冷却用ファンの回転状況に係るファン回転信号を制御装置によって積算処理することにより稼動時間を導出し冷却用ファンの異常検出を適切かつ的確に行えるファン異常検出方法を得ることができる。
【００２６】
また、この発明による実施の形態４によれば、制御装置５Ｄを収納した盤装置を強制冷却するための冷却用ファン２の異常を検出するにあたり、前記冷却用ファン２のファン回転信号４Ａまたはファン回転数信号４Ｂからなるファン回転確認信号４Ｃを前記制御装置によって処理することにより前記制御装置５Ｄにおいてファンの稼動時間を積算し、限界稼動時間を設定しておくことによりファン寿命を検知し、異常警告を可能とするようにしたので、冷却用ファンの回転状況に係るファン回転信号を制御装置によって積算処理することにより稼動時間を導出し冷却用ファンの異常検出を適切かつ的確に行えるファン異常検出方法を得ることができる。
【００２７】
実施の形態５．
この発明による実施の形態５を図９および図１０に基づいて説明する。図９は実施の形態４における構成を示すブロック図である。図１０は実施の形態５における動作を示すフローチャートである。
この実施の形態５において、ここで説明する特有の構成および方法以外の構成内容および方法内容については、先に説明した実施の形態１ないし実施の形態４における構成および方法と同一の構成内容および方法内容を具備し、同様の作用を奏するものである。
図中、同一符号は同一または相当部分を示す。
【００２８】
図９に示す実施の形態５において、太線で囲まれた筐体１は機器が実装される制御盤等の盤装置における筐体を示し、その中には複数のファン２が収納されている。
ファン２の下方に示されている回転計３は、当該ファン２の回転数を出力する回転計であり、回転信号４Ｂは回転計より出力される回転数信号で常時制御装置５へ出力される。制御装置５Ｅは回転信号４Ｂによる回転数を常時監視している。
この制御装置５Ｅは、制御盤等の盤装置における制御機能全般に係る制御手段としての演算処理を広く行うものであって、ここで述べるファン異常監視のための処理は、その処理機能の一部を活用するものである。
【００２９】
実施の形態５としては、図１０のフローチャートに示すとおり、実施の形態３および実施の形態４において実行される両方の監視を行い、どちらかまたは両方の寿命の検出を行うことにより、当該ファンの故障等によりファン停止での温度上昇による機器への障害を未然に検知しシステムへの障害を防ぐことがより確実に行うことが可能となる。
【００３０】
この発明による実施の形態５によれば、制御装置５Ｅを収納した制御盤等の盤装置を強制冷却するための冷却用ファン２の異常を検出するものにおいて、前記冷却用ファン２に設けられファン回転数信号４Ｂを出力する回転計３からなる回転信号検出手段を備え、前記回転計３からなる回転信号検出手段によるファン回転数信号を前記制御装置５Ｅによって処理することにより前記制御装置５Ｅにおいて回転数を積算するとともに、前記回転計３からなる回転信号検出手段によるファン回転数信号４Ｂを前記制御装置５Ｅによって処理することにより前記制御装置５Ｅにおいてファンの稼動時間を積算し、前記積算回転数が限界回転数に達し、または／および、前記積算稼働時間が限界稼動時間に達したとを検出することによりファン寿命を検知し、異常警告を可能とするようにしたので、冷却用ファンの回転状況に係るファン回転信号を制御装置によって積算処理することにより稼動時間を導出し冷却用ファンの異常検出を適切かつ的確に行えるファン異常検出装置を得ることができる。
【００３１】
また、この発明による実施の形態５によれば、制御装置５Ｅを収納した制御盤等の盤装置を強制冷却するための冷却用ファン２の異常を検出するにあたり、前記冷却用ファン２のファン回転数信号４Ｂを前記制御装置５Ｅによって処理することにより前記制御装置５Ｅにおいて回転数を積算するとともに、前記ファン回転数信号４Ｂを前記制御装置５Ｅによって処理することにより前記制御装置５Ｅにおいてファンの稼動時間を積算し、前記積算回転数が限界回転数に達し、または／および、前記積算稼働時間が限界稼動時間に達したことを検出することによりファン寿命を検知し、異常警告を可能とするようにしたので、冷却用ファンの回転状況に係るファン回転信号を制御装置によって積算処理することにより稼動時間を導出し冷却用ファンの異常検出を適切かつ的確に行えるファン異常検出方法を得ることができる。
【００３２】
この発明による実施の形態では、回転計そのものの出力により警告するのではなく、制御装置を介し回転数そのものの信号を監視することにより、致命的な障害の発生を予知せしめる警告を発生できるファン異常警告方式を提供することにある。
【００３３】
この発明による実施の形態におけるファン異常警告装置では、電子機器を冷却するファンに回転計を設けもしくは回転計を内蔵したファンを使用し、定周期にて回転数を制御装置へ入力し、入力された回転数が所定値以下に低下したとき、ファン異常警告を制御装置より外部出力する入出力装置より構成される。
【００３４】
この発明による実施の形態によれば、機器に使用されているファンの回転数を定周期にて制御装置へ入力し、ファンの回転が停止する以前のファンの回転数がある値以下に低下したことを検出することにより、ファンの異常を予知し、ファンの停止等による異常温度上昇のごとき事態になる以前にしかるべき手段により当該ファンを交換することによりファン異常による機器の致命的障害の発生が回避できるファン異常警告方式を提供することにある。
【００３５】
【発明の効果】
この発明によれば、冷却用ファンの回転状況に係る信号を制御装置によって処理することにより、冷却用ファンの異常検出を適切かつ的確に行うことができる。
【図面の簡単な説明】
【図１】この発明による実施の形態１における構成を示すブロック図である。
【図２】この発明による実施の形態１における動作を示すフローチャートである。
【図３】この発明による実施の形態２における構成を示すブロック図である。
【図４】この発明による実施の形態２における動作を示すフローチャートである。
【図５】この発明による実施の形態３における構成を示すブロック図である。
【図６】この発明による実施の形態３における動作を示すフローチャートである。
【図７】この発明による実施の形態４における構成を示すブロック図である。
【図８】この発明による実施の形態４における動作を示すフローチャートである。
【図９】この発明による実施の形態５における構成を示すブロック図である。
【図１０】この発明による実施の形態５における動作を示すフローチャートである。
【符号の説明】
１  筐体、２  ファン、３  回転計、４Ａ  回転信号、４Ｂ  回転数信号、４Ｃ  回転信号または回転数信号、５Ａ，５Ｂ，５Ｃ，５Ｄ，５Ｅ  制御装置、６警報ランプ、７  他の制御装置。
【図１】
2004190553.tif 000003
【図２】
2004190553.tif 000004
【図３】
2004190553.tif 000005
【図４】
2004190553.tif 000006
【図５】
2004190553.tif 000007
【図６】
2004190553.tif 000008
【図７】
2004190553.tif 000009
【図８】
2004190553.tif 000010
【図９】
2004190553.tif 000011
【図１０】
2004190553.tif 000012